(57)【要約】【課題】  予備系のホットスタンバイ状態を実現し、かつ、オペレーションシステムへの不要な警報を上げない光通信網を実現する。【解決手段】  ＳＤＨ信号のオーバーヘッドにＳＤＨ信号に標準として規定されていない少なくとも１種類の符号パターンを挿入し、ＳＤＨ信号のオーバーヘッドから前記符号パターンを検出する。前記符号パターンは、保守管理信号である。当該保守管理信号を含むＳＤＨ信号を受信したノードは、当該保守管理信号の情報に基づき、ある現用系パスに対応するリストレーションパスをホットスタンバイ状態として確保しておく。【選択図】  図１
2005057668.tif 000002
【特許請求の範囲】
【請求項１】
ＳＤＨ(Synchronous Digital Hierarchy)（あるいはＳＯＮＥＴ(Synchronous
Optical Network)）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のオーバーヘッドからＡ１またはＡ２フレーミングバイトを検出する手段と、
ＳＤＨ信号のＡ１またはＡ２フレーミングバイト以外のＳＤＨ信号のオーバーヘッドにＳＤＨ信号に標準として規定されていない少なくとも１種類の符号パターンを挿入する手段と、
ＳＤＨ信号のＡ１またはＡ２フレーミングバイト以外のＳＤＨ信号のオーバーヘッドから前記符号パターンを検出する手段と
を備えたことを特徴とする信号処理回路。
【請求項２】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のオーバーヘッドからＡ１またはＡ２フレーミングバイトまたはＢ１バイトを検出する手段と、
ＳＤＨ信号のＡ１またはＡ２フレーミングバイトまたはＢ１バイト以外のＳＤＨ信号のオーバーヘッドにＳＤＨ信号に標準として規定されていない少なくとも１種類の符号パターンを挿入する手段と、
ＳＤＨ信号のＡ１またはＡ２フレーミングバイトまたはＢ１バイト以外のＳＤＨ信号のオーバーヘッドから前記符号パターンを検出する手段と
を備えたことを特徴とする信号処理回路。
【請求項３】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトを検出する手段と、
ＳＤＨ信号のＡ１またはＡ２フレーミングバイトまたはＢ１バイトまたはＪ０バイト以外のＳＤＨ信号のオーバーヘッドにＳＤＨ信号に標準として規定されていない少なくとも１種類の符号パターンを挿入する手段と、
ＳＤＨ信号のＡ１またはＡ２フレーミングバイトまたはＢ１バイトまたはＪ０バイト以外のＳＤＨ信号のオーバーヘッドから前記符号パターンを検出する手段と
を備えたことを特徴とする信号処理回路。
【請求項４】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のＡ１またはＡ２フレーミングバイトまたはＢ１バイトまたはＪ０バイトまたはＫ２バイト以外のＳＤＨ信号のオーバーヘッドにＳＤＨ信号に標準として規定されていない少なくとも１種類の符号パターンを挿入する手段と、
ＳＤＨ信号のＡ１またはＡ２フレーミングバイトまたはＢ１バイトまたはＪ０バイトまたはＫ２バイト以外のＳＤＨ信号のオーバーヘッドから前記符号パターンを検出する手段と
を備えたことを特徴とする信号処理回路。
【請求項５】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のオーバーヘッドからＡ１またはＡ２フレーミングバイトを検出する手段と、
ＳＤＨ信号のペイロードにＳＤＨ信号に標準として規定されていない少なくとも１種類の符号パターンを挿入する手段と、
ＳＤＨ信号のペイロードから前記符号パターンを検出する手段と
を備えたことを特徴とする信号処理回路。
【請求項６】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のオーバーヘッドからＡ１またはＡ２フレーミングバイトまたはＢ１バイトを検出する手段と、
ＳＤＨ信号のペイロードにＳＤＨ信号に標準として規定されていない少なくとも１種類の符号パターンを挿入する手段と、
ＳＤＨ信号のペイロードから前記符号パターンを検出する手段と
を備えたことを特徴とする信号処理回路。
【請求項７】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトを検出する手段と、
ＳＤＨ信号のペイロードにＳＤＨ信号に標準として規定されていない少なくとも１種類の符号パターンを挿入する手段と、
ＳＤＨ信号のペイロードから前記符号パターンを検出する手段と
を備えたことを特徴とする信号処理回路。
【請求項８】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のペイロードにＳＤＨ信号に標準として規定されていない少なくとも１種類の符号パターンを挿入する手段と、
ＳＤＨ信号のペイロードから前記符号パターンを検出する手段と
を備えたことを特徴とする信号処理回路。
【請求項９】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のオーバーヘッドからＡ１またはＡ２フレーミングバイトを検出する手段と、
ＳＤＨ信号のペイロードまたはＡ１またはＡ２フレーミングバイト以外のＳＤＨ信号のオーバーヘッドにＳＤＨ信号に標準として規定されていない少なくとも１種類の符号パターンを挿入する手段と、
ＳＤＨ信号のペイロードまたはＡ１またはＡ２フレーミングバイト以外のＳＤＨ信号のオーバーヘッドから前記符号パターンを検出する手段と
を備えたことを特徴とする信号処理回路。
【請求項１０】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のオーバーヘッドからＡ１またはＡ２フレーミングバイトまたはＢ１バイトを検出する手段と、
ＳＤＨ信号のペイロードまたはオーバーヘッドにＳＤＨ信号に標準として規定されていない少なくとも１種類の符号パターンを挿入する手段と、
ＳＤＨ信号のペイロードまたはオーバーヘッドから前記符号パターンを検出する手段と
を備えたことを特徴とする信号処理回路。
【請求項１１】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトを検出する手段と、
ＳＤＨ信号のペイロードまたはオーバーヘッドにＳＤＨ信号に標準として規定されていない少なくとも１種類の符号パターンを挿入する手段と、
ＳＤＨ信号のペイロードまたはオーバーヘッドから前記符号パターンを検出する手段と
を備えたことを特徴とする信号処理回路。
【請求項１２】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のペイロードまたはオーバーヘッドにＳＤＨ信号に標準として規定されていない少なくとも１種類の符号パターンを挿入する手段と、
ＳＤＨ信号のペイロードまたはオーバーヘッドから前記符号パターンを検出する手段と
を備えたことを特徴とする信号処理回路。
【請求項１３】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトを検出する手段と、
ＳＤＨ信号のＡ１またはＡ２フレーミングバイト以外のＳＤＨ信号のオーバーヘッドからＳＤＨ信号の標準として規定されていない少なくとも１種類の符号パターンを検出する手段と
を備えたことを特徴とする信号処理回路。
【請求項１４】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトを検出する手段と、
ＳＤＨ信号のＡ１またはＡ２フレーミングバイトまたはＢ１バイト以外のオーバーヘッドからＳＤＨ信号の標準として規定されていない少なくとも１種類の符号パターンを検出する手段と
を備えたことを特徴とする信号処理回路。
【請求項１５】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトを検出する手段と、
ＳＤＨ信号のＡ１またはＡ２フレーミングバイトまたはＢ１バイトまたはＪ０バイト以外のオーバーヘッドからＳＤＨ信号の標準として規定されていない少なくとも１種類の符号パターンを検出する手段と
を備えたことを特徴とする信号処理回路。
【請求項１６】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のＡ１またはＡ２フレーミングバイトまたはＢ１バイトまたはＪ０バイトまたはＫ２バイト以外のオーバーヘッドからＳＤＨ信号の標準として規定されていない少なくとも１種類の符号パターンを検出する手段と
を備えたことを特徴とする信号処理回路。
【請求項１７】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のＡ１またはＡ２フレーミングバイト以外のＳＤＨ信号のオーバーヘッドにＳＤＨ信号に標準として規定されていない少なくとも１種類の符号パターンを挿入する手段と
を備えたことを特徴とする信号処理回路。
【請求項１８】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のＡ１またはＡ２フレーミングバイトまたはＢ１バイト以外のオーバーヘッドにＳＤＨ信号に標準として規定されていない少なくとも１種類の符号パターンを挿入する手段と
を備えたことを特徴とする信号処理回路。
【請求項１９】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のＡ１またはＡ２フレーミングバイトまたはＢ１バイトまたはＪ０バイト以外のオーバーヘッドにＳＤＨ信号に標準として規定されていない少なくとも１種類の符号パターンを挿入する手段と
を備えたことを特徴とする信号処理回路。
【請求項２０】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトを検出する手段と、
ＳＤＨ信号のペイロードから少なくとも１種類の符号パターンを検出する手段と
を備えたことを特徴とする信号処理回路。
【請求項２１】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトを検出する手段と、
ＳＤＨ信号のペイロードから少なくとも１種類の符号パターンを検出する手段と
を備えたことを特徴とする信号処理回路。
【請求項２２】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトを検出する手段と、
ＳＤＨ信号のペイロードから少なくとも１種類の符号パターンを検出する手段と
を備えたことを特徴とする信号処理回路。
【請求項２３】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のペイロードから少なくとも１種類の符号パターンを検出する手段と
を備えたことを特徴とする信号処理回路。
【請求項２４】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のペイロードに少なくとも１種類の符号パターンを挿入する手段と
を備えたことを特徴とする信号処理回路。
【請求項２５】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のペイロードに少なくとも１種類の符号パターンを挿入する手段と
を備えたことを特徴とする信号処理回路。
【請求項２６】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のペイロードに少なくとも１種類の符号パターンを挿入する手段と
を備えたことを特徴とする信号処理回路。
【請求項２７】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトを検出する手段と、
ＳＤＨ信号のペイロードまたはオーバーヘッドからＳＤＨ信号に含まれる少なくとも１種類の符号パターンを検出する手段と
を備えたことを特徴とする信号処理回路。
【請求項２８】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトを検出する手段と、
ＳＤＨ信号のペイロードまたはオーバーヘッドからＳＤＨ信号に含まれる少なくとも１種類の符号パターンを検出する手段と
を備えたことを特徴とする信号処理回路。
【請求項２９】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトを検出する手段と、
ＳＤＨ信号のペイロードまたはオーバーヘッドから少なくとも１種類の符号パターンを検出する手段と
を備えたことを特徴とする信号処理回路。
【請求項３０】
ＳＤＨ（あるいはＳＯＮＥＴ）のフレーム構造を持つＳＤＨ信号を入出力する信号処理回路であって、
ＳＤＨ信号のオーバーヘッドからＡ１またはＡ２フレーミングバイトまたはＢ１バイトまたはＪ０バイトまたはＫ２バイトを検出する手段と、
ＳＤＨ信号のペイロードまたはオーバーヘッドから少なくとも１種類の符号パターンを検出する手段と
を備えたことを特徴とする信号処理回路。
【請求項３１】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトを挿入する手段と、
ＳＤＨ信号のペイロードまたはオーバーヘッドに少なくとも１種類の符号パターンを挿入する手段と
を備えたことを特徴とする信号処理回路。
【請求項３２】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトを挿入する手段と、
ＳＤＨ信号のペイロードまたはオーバーヘッドに少なくとも１種類の符号パターンを挿入する手段と
を備えたことを特徴とする信号処理回路。
【請求項３３】
ＳＤＨ（あるいはＳＯＮＥＴ）のフレーム構造を持つＳＤＨ信号を入出力する信号処理回路であって、
ＳＤＨ信号のオーバーヘッドにＡ１またはＡ２フレーミングバイトまたはＢ１バイトまたはＪ０バイトを挿入する手段と、
ＳＤＨ信号のペイロードまたはオーバーヘッドに少なくとも１種類の符号パターンを挿入する手段と
を備えたことを特徴とする信号処理回路。
【請求項３４】
一方の入出力端子によりＳＤＨ信号を入出力する手段と、
他方の入出力端子によりＯＴＮフレーム構造を持つＯＴＮ信号を入出力する手段と、
前記一方の入出力端子により入力されたＳＤＨ信号をＯＴＮ信号に変換して前記他方の入出力端子により出力する手段と、
前記他方の入出力端子により入力されたＯＴＮ信号をＳＤＨ信号に変換して前記一方の入出力端子により出力する手段と
を備えた請求項１ないし１２のいずれかに記載の信号処理回路。
【請求項３５】
入力されたＳＤＨ信号をＯＴＮ信号に変換して出力する手段を備えた請求項１３ないし２３あるいは２７ないし３０のいずれかに記載の信号処理回路。
【請求項３６】
入力されたＯＴＮ信号をＳＤＨ信号に変換して出力する手段を備えた請求項２４ないし２６あるいは３１ないし３３のいずれかに記載の信号処理回路。
【請求項３７】
一方の入出力端子によりＳＤＨ信号を入出力する手段と、
他方の入出力端子によりＦＥＣ(Forward Error Correction：前方誤り訂正)付ディジタルラッパフレーム構造のＦＥＣ信号を入出力する手段と、
前記一方の入出力端子により入力されたＳＤＨ信号をＦＥＣ信号に変換して前記他方の入出力端子により出力する手段と、
前記他方の入出力端子により入力されたＦＥＣ信号をＳＤＨ信号に変換して前記一方の入出力端子により出力する手段と
を備えた請求項１ないし１２のいずれかに記載の信号処理回路。
【請求項３８】
入力されたＳＤＨ信号をＦＥＣ信号に変換して出力する手段を備えた請求項１３ないし１６あるいは２０ないし２３あるいは２７ないし３０のいずれかに記載の信号処理回路。
【請求項３９】
入力されたＦＥＣ信号をＳＤＨ信号に変換して出力する手段を備えた請求項１７ないし１９あるいは２４ないし２６あるいは３１ないし３３のいずれかに記載の信号処理回路。
【請求項４０】
一方の入出力端子によりＳＤＨ信号を入出力する手段と、
他方の入出力端子によりＳＤＨ信号を入出力する手段と、
前記一方の入出力端子により入力されたＳＤＨ信号をその少なくとも一部の情報内容を変更して前記他方の入出力端子により出力する手段と、
前記他方の入出力端子により入力されたＳＤＨ信号をその少なくとも一部の情報内容を変更して前記一方の入出力端子により出力する手段と
を備えた請求項１ないし１２のいずれかに記載の信号処理回路。
【請求項４１】
入力されたＳＤＨ信号の少なくとも一部の情報内容を変更して出力する手段を備えた請求項１３ないし３３のいずれかに記載の信号処理回路。
【発明の詳細な説明】
【技術分野】
【０００１】
本発明は、光通信システムにおいて使用する信号処理回路に関する。特に、ＳＤＨ(Synchronous
Digital Hierarchy)あるいはＳＯＮＥＴ(Synchronous Optical Network)に利用する。本明細書および本明細書に係る特許請求の範囲では、説明の便宜上、主にＳＤＨについて述べるが、これは全てＳＯＮＥＴに置き換えても同様に説明することができる。
【背景技術】
【０００２】
従来の信号処理回路について図１を用いて説明する。従来の信号処理回路はＳＤＨ信号をＯＴＮ(Optical Transport Network)信号へ変換する機能およびその逆のＯＴＮ信号をＳＤＨ信号へ変換する機能を有する回路である。図ではエンコーダ、デコーダと記載されている。図２はＳＤＨのＳＴＭ−６４のフレームを示したものである。Ａ１、Ａ２はフレーム同期確立のためのフレームミングバイト、Ｊ０はセクショントレース、Ｂ１はＢＩＰ−８を用いた誤り監視バイト、Ｅ１はオーダワイヤ、Ｆ１はユーザチャネル、Ｄ１〜Ｄ３はデータ通信用チャネル、Ｋ１、Ｋ２は自動切り替えや警報転送に用いられる。Ｄ４〜Ｄ１２はデータ通信用チャネルである。Ｓ１は同期状態表示、Ｍ１は誤り表示、Ｅ２はオーダワイヤとして用いられる。
【０００３】
従来の信号処理回路を用いた通信網の動作について図３を用いて説明する。図３は従来の信号処理回路を用いた光通信網を示している。ここで、１は光クロスコネクト装置、図中ＯＸＣと示す、２はＷＤＭ伝送システムである。光クロスコネクト装置は、光スイッチと受信機および送信機から構成される。図では左から右へ信号が流れるものとする。入力光信号は入力ＯＲ／ＯＳ（光送受信機）で受信され、装置内光信号を出力する。出力された光信号は光スイッチにて所定の出力ＯＲ／ＯＳへ向けてスイッチングされる。所望の出力ＯＲ／ＯＳは装置内光信号を受信し、送信部より光信号を送出する。従来の信号処理回路を用いた光クロスコネクト装置においてＳＤＨ信号を入出力インタフェースとし、ＳＤＨ信号が入力断の場合、出力のＳＤＨ信号はシャットダウンされるものとする。
【０００４】
図４は波長分割多重伝送システムの詳細を示している。図中左から右方向へ光信号が伝わることを示している。ここで、入力ＯＲ／ＯＳは光受信機（ＯＲ）と光送信機（ＯＳ）を一体化したものであり、光信号を受信し、光信号を送信する機能を有する。それぞれの送信器からは異なる波長の信号が送信される。ＭＵＸは異なる波長の信号を多重化する波長合波器である。Ｐｏｓｔ−Ａｍｐは光信号増幅し、伝送路へ送出する光増幅器である。伝送路は光ファイバ伝送路である。Ｌ−Ｒｅｐは光信号を伝送路の途中で増幅する光増幅器、Ｐｒｅ−Ａｍｐは伝送路から到来する光信号を増幅する光増幅器である。ＤＥＭＵＸは波長多重信号を各波長へ分離する波長分波器である。出力ＯＲ／ＯＳは光受信機と光送信機が一体となったものであり、光信号を受信し、光信号を送信する機能を有する。
【０００５】
ＷＤＭ伝送システムでは入力ＯＲ／ＯＳへ入力された信号は出力ＯＲ／ＯＳから出力され、入力信号の論理フレームはトランスペアレントに伝送される。従って、入力ＯＲ／ＯＳへの入力が断の場合には出力信号は断となる。入力断から光信号が回復した場合には、出力ＯＲ／ＯＳは断から信号が回復するが、伝送路中に光増幅器があるためスロースタートするのが一般的であり、回復には時間がかかる。
【０００６】
上記のようなＷＤＭ伝送システムに接続されたＯＸＣ装置から構成される光通信網において、ＯＸＣ装置中の光スイッチ切り替えによるリストレーションについて説明する。図３の実線は現用系経路、破線は予備系経路とする。現用系経路は実際に光信号が流れており、予備系経路にはＯＸＣ＃１の光スイッチが倒れていないため出力ＯＲ／ＯＳ＃１の受信部からＬＯＳ(Loss of Signal)信号断を検出し、送信部の出力は断となる。同様に接続先であるＷＤＭリンクシステムの入力ＯＲ／ＯＳの受信部においてもＬＯＳ信号断を検出し、アラームが上がることになる。さらに、ＯＸＣ＃４においてもＷＤＭリンクシステムから光信号が出力されないために、入力ＯＲ／ＯＳ＃２においてＬＯＳ信号断を検出し、アラームが上がることになる。同様にＷＤＭリンクシステム＃４の入力ＯＲ／ＯＳおよびＯＸＣ＃３の入力ＯＲ／ＯＳ＃１からもＬＯＳのアラームが上がる。上記のような予備ルートでは複数の箇所からアラームが上がることになる。
【０００７】
図５には、現用ルートのファイバが断になった場合のリストレーション切り替え動作例を示している。ＷＤＭリンクシステム＃１でファイバ断が発生した場合、ＯＸＣ＃２の入力ＯＲ／ＯＳ＃２、出力ＯＲ／ＯＳ＃２、ＷＤＭリンクシステム＃２の入力ＯＲ／ＯＳ、ＯＸＣ＃３の入力ＯＲ／ＯＳ＃３、出力ＯＲ／ＯＳ＃１よりそれぞれアラームが上がることになる。終点ノードＯＸＣ＃３の出力ＯＲ／ＯＳ＃１でＬＯＳを検出した場合には、信号に何らかの障害が発生したものと認識し、リストレーションの動作に移る。
【０００８】
具体的には、オペレーションシステムに障害発生を通知し、ルートの切り替えを実行する。ＯＸＣ＃１では光スイッチを入力ＯＲ／ＯＳ＃１からの信号を出力ＯＲ／ＯＳ＃１へ伝わるようにスイッチを切り替え、ＯＸＣ＃３では入力ＯＲ／ＯＳ＃１からの信号を出力ＯＲ／ＯＳ＃１へ伝わるように切り替える。また、ＯＸＣ＃２では入力ＯＲ／ＯＳ＃２の信号が出力ＯＲ／ＯＳ＃２へ伝わるようにスイッチ設定を行う。上記の手順で光スイッチを切り替えることにより、リストレーションが実行される。このときに、ＷＤＭリンクシステムでは、スロースタート機能により、光入力断からの復帰に時間がかかり、高速なリストレーションが実行されない（例えば、非特許文献１、２参照）。
【非特許文献１】”広帯域ネットワーキング技術  -フォトニックネットワーク-”  佐藤健一編著、古賀正文著  電子情報通信学会発行
【非特許文献２】”SDH伝送方式”  監修者：島田禎晋  著者：河西  宏之、槙  一光、辻  久雄    オーム社発行
【発明の開示】
【発明が解決しようとする課題】
【０００９】
以上説明したように、従来の信号処理回路を用いた光通信網では、予備系をホットスタンバイできない。また、ホットスタンバイできないため高速なリストレーションが実行できないといった問題点がある。本発明では、予備系のホットスタンバイ状態を実現し、かつ、オペレーションシステムへの不要な警報を上げない光通信網を実現可能な信号処理回路を提供することを目的とする。
【課題を解決するための手段】
【００１０】
本発明は、ＳＤＨ（あるいはＳＯＮＥＴ）のフレーム構造を持つＳＤＨ信号を入出力する信号処理回路であって、ＳＤＨ信号のオーバーヘッドにＡ１またはＡ２フレーミングバイトを挿入する手段と、ＳＤＨ信号のオーバーヘッドからＡ１またはＡ２フレーミングバイトを検出する手段と、ＳＤＨ信号のＡ１またはＡ２フレーミングバイト以外のＳＤＨ信号のオーバーヘッドにＳＤＨ信号に標準として規定されていない少なくとも１種類の符号パターンを挿入する手段と、ＳＤＨ信号のＡ１またはＡ２フレーミングバイト以外のＳＤＨ信号のオーバーヘッドから前記符号パターンを検出する手段とを備えたことを特徴とする（請求項１）。
【００１１】
前記符号パターンは、例えば、保守管理信号である。このような保守管理信号を挿入したＳＤＨ信号を用いて、従来は想定されていなかったホットスタンバイ状態のリストレーションパスを確保することが可能になる。
【００１２】
例えば、当該保守管理信号を含むＳＤＨ信号を受信したノードは、当該保守管理信号の情報に基づき、ある現用系パスに対応するリストレーションパスをホットスタンバイ状態として確保しておく、というプロトコルを設けておけばよい。これにより、現用系パスに障害が発生したときには、速やかに、リストレーションパスに切り替えることができる。
【００１３】
Ａ１またはＡ２フレーミングバイトの他に、必要に応じて誤り監視バイトのＢ１バイト、トレース監視バイトであるＪ０バイト、ＳＤＨ保守管理情報管理バイトであるＫ２バイトを用いることもできる。
【００１４】
すなわち、ＳＤＨ信号のオーバーヘッドにＡ１またはＡ２フレーミングバイトまたはＢ１バイトを挿入する手段と、ＳＤＨ信号のオーバーヘッドからＡ１またはＡ２フレーミングバイトまたはＢ１バイトを検出する手段と、ＳＤＨ信号のＡ１またはＡ２フレーミングバイトまたはＢ１バイト以外のＳＤＨ信号のオーバーヘッドにＳＤＨ信号に標準として規定されていない少なくとも１種類の符号パターンを挿入する手段と、ＳＤＨ信号のＡ１またはＡ２フレーミングバイトまたはＢ１バイト以外のＳＤＨ信号のオーバーヘッドから前記符号パターンを検出する手段とを備える（請求項２）。
【００１５】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトを検出する手段と、ＳＤＨ信号のＡ１またはＡ２フレーミングバイトまたはＢ１バイトまたはＪ０バイト以外のＳＤＨ信号のオーバーヘッドにＳＤＨ信号に標準として規定されていない少なくとも１種類の符号パターンを挿入する手段と、ＳＤＨ信号のＡ１またはＡ２フレーミングバイトまたはＢ１バイトまたはＪ０バイト以外のＳＤＨ信号のオーバーヘッドから前記符号パターンを検出する手段とを備える（請求項３）。
【００１６】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトまたはＫ２バイトを検出する手段と、ＳＤＨ信号のＡ１またはＡ２フレーミングバイトまたはＢ１バイトまたはＪ０バイトまたはＫ２バイト以外のＳＤＨ信号のオーバーヘッドにＳＤＨ信号に標準として規定されていない少なくとも１種類の符号パターンを挿入する手段と、ＳＤＨ信号のＡ１またはＡ２フレーミングバイトまたはＢ１バイトまたはＪ０バイトまたはＫ２バイト以外のＳＤＨ信号のオーバーヘッドから前記符号パターンを検出する手段とを備える（請求項４）。
【００１７】
また、オーバーヘッドだけではなく、ペイロードを用いて前記符号パターンの挿入または検出を行ってもよい。すなわち、本発明の信号処理回路は、ＳＤＨ信号のオーバーヘッドにＡ１またはＡ２フレーミングバイトを挿入する手段と、ＳＤＨ信号のオーバーヘッドからＡ１またはＡ２フレーミングバイトを検出する手段と、ＳＤＨ信号のペイロードにＳＤＨ信号に標準として規定されていない少なくとも１種類の符号パターンを挿入する手段と、ＳＤＨ信号のペイロードから前記符号パターンを検出する手段とを備える（請求項５）。
【００１８】
あるいは、ＳＤＨ信号のオーバーヘッドにＡ１またはＡ２フレーミングバイトまたはＢ１バイトを挿入する手段と、ＳＤＨ信号のオーバーヘッドからＡ１またはＡ２フレーミングバイトまたはＢ１バイトを検出する手段と、ＳＤＨ信号のペイロードにＳＤＨ信号に標準として規定されていない少なくとも１種類の符号パターンを挿入する手段と、ＳＤＨ信号のペイロードから前記符号パターンを検出する手段とを備える（請求項６）。
【００１９】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトを検出する手段と、ＳＤＨ信号のペイロードにＳＤＨ信号に標準として規定されていない少なくとも１種類の符号パターンを挿入する手段と、ＳＤＨ信号のペイロードから前記符号パターンを検出する手段とを備える（請求項７）。
【００２０】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトまたはＫ２バイトを検出する手段と、ＳＤＨ信号のペイロードにＳＤＨ信号に標準として規定されていない少なくとも１種類の符号パターンを挿入する手段と、ＳＤＨ信号のペイロードから前記符号パターンを検出する手段とを備える（請求項８）。
【００２１】
また、オーバーヘッドだけでなく、ペイロードまたはオーバーヘッドを用いて前記符号パターンの挿入または検出を行ってもよい。すなわち、本発明の信号処理回路は、ＳＤＨ信号のオーバーヘッドにＡ１またはＡ２フレーミングバイトを挿入する手段と、ＳＤＨ信号のオーバーヘッドからＡ１またはＡ２フレーミングバイトを検出する手段と、ＳＤＨ信号のペイロードまたはＡ１またはＡ２フレーミングバイト以外のＳＤＨ信号のオーバーヘッドにＳＤＨ信号に標準として規定されていない少なくとも１種類の符号パターンを挿入する手段と、ＳＤＨ信号のペイロードまたはＡ１またはＡ２フレーミングバイト以外のＳＤＨ信号のオーバーヘッドから前記符号パターンを検出する手段とを備える（請求項９）。
【００２２】
あるいは、ＳＤＨ信号のオーバーヘッドにＡ１またはＡ２フレーミングバイトまたはＢ１バイトを挿入する手段と、ＳＤＨ信号のオーバーヘッドからＡ１またはＡ２フレーミングバイトまたはＢ１バイトを検出する手段と、ＳＤＨ信号のペイロードまたはオーバーヘッドにＳＤＨ信号に標準として規定されていない少なくとも１種類の符号パターンを挿入する手段と、ＳＤＨ信号のペイロードまたはオーバーヘッドから前記符号パターンを検出する手段とを備える（請求項１０）。
【００２３】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトを検出する手段と、ＳＤＨ信号のペイロードまたはオーバーヘッドにＳＤＨ信号に標準として規定されていない少なくとも１種類の符号パターンを挿入する手段と、ＳＤＨ信号のペイロードまたはオーバーヘッドから前記符号パターンを検出する手段とを備える（請求項１１）。
【００２４】
あるいは、ＳＤＨ信号のオーバーヘッドにＡ１またはＡ２フレーミングバイトまたはＢ１バイトまたはＪ０バイトを挿入する手段と、ＳＤＨ信号のオーバーヘッドからＡ１またはＡ２フレーミングバイトまたはＢ１バイトまたはＪ０バイトまたはＫ２バイトを検出する手段と、ＳＤＨ信号のペイロードまたはオーバーヘッドにＳＤＨ信号に標準として規定されていない少なくとも１種類の符号パターンを挿入する手段と、ＳＤＨ信号のペイロードまたはオーバーヘッドから前記符号パターンを検出する手段とを備える（請求項１２）。
【００２５】
さらに、一方の入出力端子によりＳＤＨ信号を入出力する手段と、他方の入出力端子によりＯＴＮフレーム構造を持つＯＴＮ信号を入出力する手段と、前記一方の入出力端子により入力されたＳＤＨ信号をＯＴＮ信号に変換して前記他方の入出力端子により出力する手段と、前記他方の入出力端子により入力されたＯＴＮ信号をＳＤＨ信号に変換して前記一方の入出力端子により出力する手段とを備えることができる（請求項３４）。これにより、前記符号パターンの挿入または検出をＯＴＮに対応して行うことができる。
【００２６】
あるいは、一方の入出力端子によりＳＤＨ信号を入出力する手段と、他方の入出力端子によりＦＥＣ(Forward Error Correction：前方誤り訂正)付ディジタルラッパフレーム構造のＦＥＣ信号を入出力する手段と、前記一方の入出力端子により入力されたＳＤＨ信号をＦＥＣ信号に変換して前記他方の入出力端子により出力する手段と、前記他方の入出力端子により入力されたＦＥＣ信号をＳＤＨ信号に変換して前記一方の入出力端子により出力する手段とを備えることができる（請求項３７）。これにより、前記符号パターンの挿入または検出をＦＥＣ信号に対応して行うことができる。
【００２７】
あるいは、一方の入出力端子によりＳＤＨ信号を入出力する手段と、他方の入出力端子によりＳＤＨ信号を入出力する手段と、前記一方の入出力端子により入力されたＳＤＨ信号をその少なくとも一部の情報内容を変更して前記他方の入出力端子により出力する手段と、前記他方の入出力端子により入力されたＳＤＨ信号をその少なくとも一部の情報内容を変更して前記一方の入出力端子により出力する手段とを備えることができる（請求項４０）。これによりＳＤＨ信号における前記符号パターンの挿入または検出を行うことができる。
【００２８】
以上では、前記符号パターンを挿入する手段と前記符号パターンを検出する手段とを両方備えた構成として本発明の信号処理回路を捉えたが、本発明の信号処理回路を前記符号パターンを検出する手段を備えた構成として捉えることもできる。
【００２９】
すなわち、本発明の信号処理回路は、ＳＤＨ信号のオーバーヘッドからＡ１またはＡ２フレーミングバイトを検出する手段と、ＳＤＨ信号のＡ１またはＡ２フレーミングバイト以外のＳＤＨ信号のオーバーヘッドからＳＤＨ信号の標準として規定されていない少なくとも１種類の符号パターンを検出する手段とを備える（請求項１３）。
【００３０】
あるいは、ＳＤＨ信号のオーバーヘッドからＡ１またはＡ２フレーミングバイトまたはＢ１バイトを検出する手段と、ＳＤＨ信号のＡ１またはＡ２フレーミングバイトまたはＢ１バイト以外のオーバーヘッドからＳＤＨ信号の標準として規定されていない少なくとも１種類の符号パターンを検出する手段とを備える（請求項１４）。
【００３１】
あるいは、ＳＤＨ信号のオーバーヘッドからＡ１またはＡ２フレーミングバイトまたはＢ１バイトまたはＪ０バイトを検出する手段と、ＳＤＨ信号のＡ１またはＡ２フレーミングバイトまたはＢ１バイトまたはＪ０バイト以外のオーバーヘッドからＳＤＨ信号の標準として規定されていない少なくとも１種類の符号パターンを検出する手段とを備える（請求項１５）。
【００３２】
あるいは、ＳＤＨ信号のオーバーヘッドからＡ１またはＡ２フレーミングバイトまたはＢ１バイトまたはＪ０バイトまたはＫ２バイトを検出する手段と、ＳＤＨ信号のＡ１またはＡ２フレーミングバイトまたはＢ１バイトまたはＪ０バイトまたはＫ２バイト以外のオーバーヘッドからＳＤＨ信号の標準として規定されていない少なくとも１種類の符号パターンを検出する手段とを備える（請求項１６）。
【００３３】
さらに、入力されたＳＤＨ信号をＦＥＣ信号に変換して出力する手段を備えることもできる（請求項３８）。これにより、前記符号パターンの検出をＦＥＣ信号に対応して行うことができる。
【００３４】
また、本発明の信号処理回路を前記符号パターンを挿入する手段を備えた構成として捉えることもできる。
【００３５】
すなわち、本発明の信号処理回路は、ＳＤＨ信号のオーバーヘッドにＡ１またはＡ２フレーミングバイトを挿入する手段と、ＳＤＨ信号のＡ１またはＡ２フレーミングバイト以外のＳＤＨ信号のオーバーヘッドにＳＤＨ信号に標準として規定されていない少なくとも１種類の符号パターンを挿入する手段とを備える（請求項１７）。
【００３６】
あるいは、ＳＤＨ信号のオーバーヘッドにＡ１またはＡ２フレーミングバイトまたはＢ１バイトを挿入する手段と、ＳＤＨ信号のＡ１またはＡ２フレーミングバイトまたはＢ１バイト以外のオーバーヘッドにＳＤＨ信号に標準として規定されていない少なくとも１種類の符号パターンを挿入する手段とを備える（請求項１８）。
【００３７】
あるいは、ＳＤＨ信号のオーバーヘッドにＡ１またはＡ２フレーミングバイトまたはＢ１バイトまたはＪ０バイトを挿入する手段と、ＳＤＨ信号のＡ１またはＡ２フレーミングバイトまたはＢ１バイトまたはＪ０バイト以外のオーバーヘッドにＳＤＨ信号に標準として規定されていない少なくとも１種類の符号パターンを挿入する手段とを備える（請求項１９）。
【００３８】
さらに、入力されたＦＥＣ信号をＳＤＨ信号に変換して出力する手段を備えることできる（請求項３９）。これにより前記符号パターンの挿入をＦＥＣ信号に対応して行うことができる。
【００３９】
また、ＳＤＨ信号のオーバーヘッドとペイロードとを両方利用して本発明の信号処理回路を実現することもできる。
【００４０】
すなわち、本発明の信号処理回路は、ＳＤＨ信号のオーバーヘッドからＡ１またはＡ２フレーミングバイトを検出する手段と、ＳＤＨ信号のペイロードから少なくとも１種類の符号パターンを検出する手段とを備える（請求項２０）。
【００４１】
あるいは、ＳＤＨ信号のオーバーヘッドからＡ１またはＡ２フレーミングバイトまたはＢ１バイトを検出する手段と、ＳＤＨ信号のペイロードから少なくとも１種類の符号パターンを検出する手段とを備える（請求項２１）。
【００４２】
あるいは、ＳＤＨ信号のオーバーヘッドからＡ１またはＡ２フレーミングバイトまたはＢ１バイトまたはＪ０バイトを検出する手段と、ＳＤＨ信号のペイロードから少なくとも１種類の符号パターンを検出する手段とを備える（請求項２２）。
【００４３】
あるいは、ＳＤＨ信号のオーバーヘッドからＡ１またはＡ２フレーミングバイトまたはＢ１バイトまたはＪ０バイトまたはＫ２バイトを検出する手段と、ＳＤＨ信号のペイロードから少なくとも１種類の符号パターンを検出する手段とを備える（請求項２３）。
【００４４】
さらに、入力されたＳＤＨ信号をＯＴＮ信号に変換して出力する手段を備えることができる（請求項３５）。これにより、前記符号パターンの検出をＯＴＮに対応して行うことができる。
【００４５】
さらに、入力されたＳＤＨ信号をＦＥＣ信号に変換して出力する手段を備える（請求項３８）。これにより、前記符号パターンの検出をＦＥＣ信号に対応して行うことができる。
【００４６】
あるいは、ＳＤＨ信号のオーバーヘッドにＡ１またはＡ２フレーミングバイトを挿入する手段と、ＳＤＨ信号のペイロードに少なくとも１種類の符号パターンを挿入する手段とを備える（請求項２４）。
【００４７】
あるいは、ＳＤＨ信号のオーバーヘッドにＡ１またはＡ２フレーミングバイトまたはＢ１バイトを挿入する手段と、ＳＤＨ信号のペイロードに少なくとも１種類の符号パターンを挿入する手段とを備える（請求項２５）。
【００４８】
あるいは、ＳＤＨ信号のオーバーヘッドにＡ１またはＡ２フレーミングバイトまたはＢ１バイトまたはＪ０バイトを挿入する手段と、ＳＤＨ信号のペイロードに少なくとも１種類の符号パターンを挿入する手段とを備える（請求項２６）。
【００４９】
さらに、入力されたＯＴＮ信号をＳＤＨ信号に変換して出力する手段を備えることができる（請求項３６）。これにより、前記符号パターンの挿入をＯＴＮに対応して行うことができる。
【００５０】
さらに、入力されたＦＥＣ信号をＳＤＨ信号に変換して出力する手段を備えることができる（請求項３９）。これにより、前記符号パターンの挿入をＦＥＣ信号に対応して行うことができる。
【００５１】
また、ＳＤＨ信号のオーバーヘッドとペイロードまたはオーバーヘッドとを利用して本発明の信号処理回路を実現することもできる。
【００５２】
すなわち、ＳＤＨ信号のオーバーヘッドからＡ１またはＡ２フレーミングバイトを検出する手段と、ＳＤＨ信号のペイロードまたはオーバーヘッドからＳＤＨ信号に含まれる少なくとも１種類の符号パターンを検出する手段とを備える（請求項２７）。
【００５３】
あるいは、ＳＤＨ信号のオーバーヘッドからＡ１またはＡ２フレーミングバイトまたはＢ１バイトを検出する手段と、ＳＤＨ信号のペイロードまたはオーバーヘッドからＳＤＨ信号に含まれる少なくとも１種類の符号パターンを検出する手段とを備える（請求項２８）。
【００５４】
あるいは、ＳＤＨ信号のオーバーヘッドからＡ１またはＡ２フレーミングバイトまたはＢ１バイトまたはＪ０バイトを検出する手段と、ＳＤＨ信号のペイロードまたはオーバーヘッドから少なくとも１種類の符号パターンを検出する手段とを備える（請求項２９）。
【００５５】
あるいは、ＳＤＨ信号のオーバーヘッドからＡ１またはＡ２フレーミングバイトまたはＢ１バイトまたはＪ０バイトまたはＫ２バイトを検出する手段と、ＳＤＨ信号のペイロードまたはオーバーヘッドから少なくとも１種類の符号パターンを検出する手段とを備える（請求項３０）。
【００５６】
さらに、入力されたＳＤＨ信号をＯＴＮ信号に変換して出力する手段を備えることができる。これにより、前記符号パターンの検出をＯＴＮに対応して行うことができる（請求項３５）。
【００５７】
さらに、入力されたＳＤＨ信号をＦＥＣ信号に変換して出力する手段を備える（請求項３８）。これにより、前記符号パターンの検出をＦＥＣ信号に対応して行うことができる。
【００５８】
あるいは、ＳＤＨ信号のオーバーヘッドにＡ１またはＡ２フレーミングバイトを挿入する手段と、ＳＤＨ信号のペイロードまたはオーバーヘッドに少なくとも１種類の符号パターンを挿入する手段とを備える（請求項３１）。
【００５９】
あるいは、ＳＤＨ信号のオーバーヘッドにＡ１またはＡ２フレーミングバイトまたはＢ１バイトを挿入する手段と、ＳＤＨ信号のペイロードまたはオーバーヘッドに少なくとも１種類の符号パターンを挿入する手段とを備える（請求項３２）。
【００６０】
あるいは、ＳＤＨ信号のオーバーヘッドにＡ１またはＡ２フレーミングバイトまたはＢ１バイトまたはＪ０バイトを挿入する手段と、ＳＤＨ信号のペイロードまたはオーバーヘッドに少なくとも１種類の符号パターンを挿入する手段とを備える（請求項３３）。
【００６１】
さらに、入力されたＯＴＮ信号をＳＤＨ信号に変換して出力する手段を備えることができる（請求項３６）。これにより、前記符号パターンの挿入をＯＴＮに対応して行うことができる。
【００６２】
さらに、入力されたＦＥＣ信号をＳＤＨ信号に変換して出力する手段を備えることができる（請求項３９）。これにより、前記符号パターンの挿入をＦＥＣ信号に対応して行うことができる。
【００６３】
さらに、入力されたＳＤＨ信号の少なくとも一部の情報内容を変更して出力する手段を備えることができる（請求項４１）。これによりＳＤＨ信号における前記符号パターンの挿入を行うことができる。
【発明の効果】
【００６４】
本発明により、予備系ホットスタンバイ状態を実現し、不要な警報を抑止し、高速リストレーションが実現可能な光通信網を提供することができる。
【発明を実施するための最良の形態】
【００６５】
本発明実施例の信号処理回路を図６〜図２２を参照して説明する。
（第一実施例）
【００６６】
図６に本発明の第一の実施例を示す（請求項１〜４）。ここで、６−１はＳＤＨ／ＳＯＮＥＴフレーム生成部、６−２はＳＤＨのオーバーヘッド領域にＳＤＨ標準ではない保守管理パターンを挿入するオーバーヘッド挿入部＃１、６−３はＳＤＨのオーバーヘッド領域に誤り監視用Ｂ１バイト、トレース用Ｊ０バイトを挿入するオーバーヘッド挿入部＃２、６−４はＳＤＨフレームのオーバーヘッド領域である誤り監視バイトのＢ１バイト、トレース監視バイトであるＪ０バイト、ＳＤＨ保守管理情報管理バイトであるＫ２バイトをモニタするオーバーヘッドモニタ部＃２、６−５はＳＤＨフレームのオーバーヘッド領域に挿入された保守管理パターンをモニタするオーバーヘッドモニタ部＃１、６−６はＳＤＨフレームの同期確立を行うＳＤＨ／ＳＯＮＥＴフレーム同期部である。
【００６７】
入力された信号は、Ａ１またはＡ２フレーミングバイトを用いることによりＳＤＨ／ＳＯＮＥＴフレーム同期部６−６においてフレーム同期を確立する。オーバーヘッド（ＯＨ）モニタ部（＃１）６−５では、ＳＤＨフレームに挿入された３種類以上の保守管理用符号パターンを検出する。保守管理パターンは、主信号ではないことを示す第一の保守管理信号、予備系ホットスタンバイ用の第二の保守管理信号、網内光パス故障を示す第三の保守管理信号、網に対するクライアント信号の故障を示す第四の保守管理信号の４つが考えられるが、その内、第一の保守管理信号と第二の保守管理信号とは兼用できるものと考えられる。これらの保守管理信号は、いずれもＳＤＨ標準ではない保守管理パターンである。
【００６８】
オーバーヘッドモニタ部（＃２）６−４では、ＳＤＨフレームのＢ１バイト、Ｊ０バイト、Ｋ２バイトを検出し、ＳＤＨフレームの誤り、トレースミスマッチ、上流での故障の有無を検出する。ここでは、オーバーヘッド検出ブロックが２つあるものとして説明したが、オーバーヘッド検出ブロックが１つでも構成することが可能である。また、Ｂ１バイトのみ実装等必要に応じてオーバーヘッドバイトを検出するよう構成することも可能である。
【００６９】
すなわち、Ａ１またはＡ２フレーミングバイトと保守管理信号によって本発明の信号処理回路を実現することができる。その他に必要に応じて、Ｂ１、Ｊ０、Ｋ２バイトを用いることができる。
（第二実施例）
【００７０】
図７は本発明の第二の実施例を示している（請求項５〜１２）。ここで、７−１はＳＤＨ／ＳＯＮＥＴフレーム生成部、７−２はＳＤＨのペイロード領域にＳＤＨ標準ではない保守管理パターンを挿入するペイロード挿入部、７−３はＳＤＨのオーバーヘッド領域に誤り監視用Ｂ１バイト、トレース用Ｊ０バイトを挿入するオーバーヘッド挿入部、７−４はＳＤＨフレームのオーバーヘッド領域である誤り監視バイトＢ１バイト、トレース監視バイトであるＪ０バイト、ＳＤＨ保守管理情報管理バイトであるＫ２バイトをモニタするオーバーヘッドモニタ部、７−５はＳＤＨフレームのペイロード領域に挿入された保守管理パターンをモニタするペイロードヘッドモニタ部、７−６はＳＤＨフレームの同期確立を行うＳＤＨ／ＳＯＮＥＴフレーム同期部である。
【００７１】
図６の第一の実施例との違いは保守管理信号としてＳＤＨのオーバーヘッドではなくペイロードを用いている点である。ペイロード部分のすべての保守管理信号として使用する場合とペイロードの一部を保守管理信号として使用する場合が考えられる。さらには、ＳＤＨのオーバーヘッド空きバイトとペイロード部とを組み合わせて保守管理信号として使用することもできる。
（第三実施例）
【００７２】
図８は本発明の第三の実施例を示している（請求項１７〜１９）。ここで、８−１はＳＤＨ／ＳＯＮＥＴフレーム生成部、８−２はＳＤＨのオーバーヘッド領域にＳＤＨ標準ではない保守管理パターンを挿入するオーバーヘッド挿入部＃１、８−３はＳＤＨのオーバーヘッド領域に誤り監視用Ｂ１バイト、トレース用Ｊ０バイトを挿入するオーバーヘッド挿入部＃２である。
【００７３】
本実施例は図６の第一の実施例で示した信号処理回路の信号生成部のみを切り出して信号処理回路とした例を示している。
（第四実施例）
【００７４】
図９は本発明の第四の実施例を示している（請求項１３〜１６）。ここで、９−１はＳＤＨフレームのオーバーヘッド領域である誤り監視バイトＢ１バイト、トレース監視バイトであるＪ０バイト、ＳＤＨ保守管理情報管理バイトであるＫ２バイトをモニタするオーバーヘッドモニタ部＃２、９−２はＳＤＨフレームのオーバーヘッド領域に挿入された保守管理パターンをモニタするオーバーヘッドモニタ部＃１、９−３はＳＤＨフレームの同期確立を行うＳＤＨ／ＳＯＮＥＴフレーム同期部である。
【００７５】
本実施例は図６の第一の実施例で示した信号処理回路の信号検出部のみを切り出して信号処理回路とした例を示している。
（第五実施例）
【００７６】
図１０は本発明の第五の実施例を示している（請求項２４〜２６）。ここで、１０−１はＳＤＨ／ＳＯＮＥＴフレーム生成部、１０−２はＳＤＨのペイロード領域にＳＤＨ標準ではない保守管理パターンを挿入するペイロード挿入部、１０−３はＳＤＨのオーバーヘッド領域に誤り監視用Ｂ１バイト、トレース用Ｊ０バイトを挿入するオーバーヘッド挿入部である。
【００７７】
本実施例は図７の第二実施例で示した信号処理回路の信号生成部のみを切り出して信号処理回路とした例を示している。
（第六実施例）
【００７８】
図１１は本発明の第六の実施例を示している（請求項２０〜２３）。ここで、１１−１はＳＤＨフレームのオーバーヘッド領域である誤り監視バイトＢ１バイト、トレース監視バイトであるＪ０バイト、ＳＤＨ保守管理情報管理バイトであるＫ２バイトをモニタするオーバーヘッドモニタ部、１１−２はＳＤＨフレームのペイロード領域に挿入された保守管理パターンをモニタするペイロードモニタ部、１１−３はＳＤＨフレームの同期確立を行うＳＤＨ／ＳＯＮＥＴフレーム同期部である。
【００７９】
本実施例は図７の第二の実施例で示した信号処理回路の信号検出部のみを切り出して信号処理回路とした例を示している。
（第七実施例）
【００８０】
図１２は本発明の第七の実施例を示している（請求項３４〜３６）。ここで、１２−１はＯＴＮ信号入力部から入力されたＯＴＮフレーム信号からオーバーヘッド部を取り除きＳＤＨ信号を取り出すＯＴＮ信号ＳＤＨ／ＳＯＮＥＴ信号変換部、１２−２はＳＤＨフレーム同期を確立するＳＤＨ／ＳＯＮＥＴフレーム同期部、１２−３はＳＤＨのペイロード領域にＳＤＨ標準でない保守管理パターンを挿入するオーバーヘッドモニタ部＃１、１２−４はＳＤＨのオーバーヘッド領域に誤り監視用Ｂ１バイト、トレース用Ｊ０バイトを挿入するオーバーヘッドモニタ部＃２であり、１２−５は２つのフレーム信号から一方を選択して出力する選択部、１２−６はＳＤＨフレームを生成するＳＨＤ／ＳＯＮＥＴフレーム生成部、１２−７はＳＤＨのオーバーヘッド部分にＳＤＨ標準ではない保守管理信号を挿入するオーバーヘッド挿入部＃１、１２−８はＳＤＨのオーバーヘッド領域に挿入された誤り監視用Ｂ１バイト、トレース用Ｊ０バイトをモニタするオーバーヘッドモニタ部＃２であり、１２−９はＳＤＨフレーム構造を持つ信号を入力し、ＯＴＮフレーム構造を持つ信号を出力するＳＤＨ／ＳＯＮＥＴ信号ＯＴＮ信号変換部、１２−１０はＳＤＨフレームのオーバーヘッド領域である誤り監視バイトＢ１バイト、トレース監視バイトであるＪ０バイト、ＳＤＨ保守管理情報管理バイトであるＫ２バイトをモニタするオーバーヘッドモニタ部＃２、１２−１１はＳＤＨフレームのオーバーヘッド領域に挿入された保守管理パターンをモニタするオーバーヘッドモニタ部＃１である。
【００８１】
これは基本的には、ＯＴＮフレーム信号をＳＤＨフレーム変換する回路とＳＤＨフレーム信号をＯＴＮフレーム信号に変換する回路であり、ＳＤＨ／ＳＯＮＥＴ信号入力部に保守管理信号検出部としてのオーバーヘッドモニタ部（＃１）１２−１１、ＳＤＨ／ＳＯＮＥＴ信号出力部に保守管理信号生成部としてのオーバーヘッド挿入部（＃１）１２−７とを付けたものであり、ＯＴＮ信号入力断時にＳＤＨ側へフレームを生成し保守管理信号を出力可能としている。
【００８２】
ここでは、ＳＤＨフレームのオーバーヘッドを使用して保守管理信号を生成および検出する例を示したが、ペイロード部分を利用することも可能である（請求項２７〜３３）。また、本信号処理回路では、ＳＤＨフレーム構造信号からＯＴＮフレーム構造信号へ変換する部分とＯＴＮフレーム構造信号からＳＤＨ構造信号へ変換する部分の両方を実装した例を示したが、片方向のみの実装すなわち、ＳＤＨフレーム構造信号からＯＴＮフレーム構造信号を生成する信号処理回路、ＯＴＮフレーム構造信号からＳＤＨフレーム構造信号生成信号処理回路の別々に実装することが可能である。
（第八実施例）
【００８３】
図１３は本発明の第八の実施例である（請求項３７〜３９）。ここで、１３−１はＦＥＣ信号入力部から入力されたＦＥＣ付ディジタルフレーム信号からディジタルラッピング部を取り除きＳＤＨ信号を取り出すＦＥＣ信号ＳＤＨ／ＳＯＮＥＴ信号変換部、１３−２はＳＤＨフレーム同期を確立するＳＤＨ／ＳＯＮＥＴフレーム同期部、１３−３はＳＤＨのオーバーヘッドに挿入された保守管理パターンをモニタするオーバーヘッドモニタ部＃１、１３−４はＳＤＨのオーバーヘッド領域である誤り監視用Ｂ１バイト、トレース用Ｊ０バイトをモニタするオーバーモニタ部＃２であり、１３−５は２つのフレーム信号から一方を選択して出力する選択部、１３−６はＳＤＨフレームを生成するＳＤＨ／ＳＯＮＥＴフレーム生成部、１３−７はＳＤＨのオーバーヘッド部分にＳＤＨ標準でない保守管理信号を挿入するオーバーヘッド挿入部、１３−８はＳＤＨのオーバーヘッド領域に挿入された誤り監視用Ｂ１バイト、トレース用Ｊ０バイトをモニタするオーバーヘッドモニタ部＃２であり、１３−９はＳＤＨフレーム構造を持つ信号を入力し、ＦＥＣ付ディジタルフレーム構造を持つ信号を出力するＳＤＨ／ＳＯＮＥＴ信号ＦＥＣ信号変換部、１３−１０はＳＤＨフレームのオーバーヘッド領域である誤り監視バイトＢ１バイト、トレース監視バイトであるＪ０バイト、ＳＤＨ／ＳＯＮＥＴ保守管理情報管理バイトであるＫ２バイトをモニタするオーバーヘッドモニタ部＃２、１３−１１はＳＤＨフレームのオーバーヘッド領域に挿入された保守管理パターンをモニタするオーバーヘッドモニタ部＃１、１３−１２はＳＤＨフレームの同期確立を行うＳＤＨ／ＳＯＮＥＴフレーム同期部である。
【００８４】
本信号処理回路は、ＯＴＮフレーム以外のＦＥＣ付ディジタルフレーム信号をＳＤＨフレーム信号へ変換する回路とＳＤＨフレーム信号をＦＥＣ付ディジタルフレーム信号に変換する回路であり、ＳＤＨ／ＳＯＮＥＴ信号入力部に保守管理信号検出部としてのオーバーヘッドモニタ部（＃１）１３−１１、ＳＤＨ／ＳＯＮＥＴ信号出力部に保守管理信号生成部としてのオーバーヘッド挿入部（＃１）１３−７を付けたものであり、ＦＥＣ付ディジタルフレーム信号入力断時にＳＤＨ／ＳＯＮＥＴ側へフレームを生成し保守管理信号を出力可能となっている。
【００８５】
ここでは、ＳＤＨフレームのオーバーヘッドを使用して保守管理信号を生成または検出する例を示したが、ペイロード部分を利用することも可能である。また、本信号処理回路では、ＳＤＨフレーム構造信号からＯＴＮフレーム構造信号へ変換する部分とＦＥＣ付ディジタルフレーム構造信号からＳＤＨ構造信号へ変換する部分の両方を実装した例を示したが、片方向のみの実装すなわち、ＳＤＨフレーム構造信号からＦＥＣ付ディジタルフレーム構造信号を生成する信号処理回路、ＦＥＣ付ディジタルフレーム構造信号からＳＤＨフレーム構造信号生成信号処理回路の別々に実装することが可能である。
（第九実施例）
【００８６】
図１４は本発明の第九の実施例を示している（請求項４０）。ここで、１４−１はＳＤＨ／ＳＯＮＥＴ信号入力部から入力されたＳＤＨフレーム信号を終端した後ＳＤＨ信号を出力するＳＤＨ／ＳＯＮＥＴ−ＳＤＨ／ＳＯＮＥＴ変換部、１４−２はＳＤＨフレーム同期を確立するＳＤＨ／ＳＯＮＥＴフレーム同期部、１４−３はＳＤＨのオーバーヘッド領域に挿入された保守管理パターンをモニタするオーバーヘッドモニタ部＃１、１４−４はＳＤＨのオーバーヘッド領域の誤り監視用Ｂ１バイト、トレース用Ｊ０バイトをモニタするオーバーヘッドモニタ部＃２であり、１４−５は２つのフレーム信号から一方を選択して出力する選択部、１４−６はＳＤＨフレームを生成するＳＤＨ／ＳＯＮＥＴフレーム生成部、１４−７はＳＤＨのオーバーヘッド部分にＳＤＨ標準ではない保守管理信号を挿入するオーバーヘッド挿入部＃１、１４−８はＳＤＨのオーバーヘッド領域に誤り監視用Ｂ１バイト、トレース用Ｊ０バイトを挿入するオーバーヘッド挿入部であり、１４−９はＳＤＨフレーム構造を持つ信号を入力し、ＳＤＨフレーム構造の信号を終端し、ＳＤＨフレーム信号を生成して出力するＳＤＨ／ＳＯＮＥＴ−ＳＤＨ／ＳＯＮＥＴ変換部、１４−１０はＳＤＨフレームのオーバーヘッド領域である誤り監視バイトＢ１バイト、トレース監視バイトであるＪ０バイト、ＳＤＨ／ＳＯＮＥＴ保守管理情報管理バイトであるＫ２バイトをモニタするオーバーヘッドモニタ部＃２、１４−１１はＳＤＨフレームのオーバーヘッド領域に挿入された保守管理パターンをモニタするオーバーヘッドモニタ部＃１、１４−１２はＳＤＨフレームの同期確立を行うＳＤＨ／ＳＯＮＥＴフレーム同期部である。
【００８７】
本信号処理回路は、ＳＤＨ信号を終端し、ＳＤＨフレーム信号出力する回路としてのＳＤＨ／ＳＯＮＥＴ−ＳＤＨ／ＳＯＮＥＴ変換部１４−９とＳＤＨフレーム信号を入力し、ＳＤＨ信号を終端後ＳＤＨフレームとして出力する回路としてのＳＤＨ／ＳＯＮＥＴ−ＳＤＨ／ＳＯＮＥＴ変換部１４−１において、ＳＤＨ／ＳＯＮＥＴ信号入力部に保守管理信号検出部としてのオーバーヘッドモニタ部（＃１）１４−１１、ＳＤＨ／ＳＯＮＥＴ信号出力部に保守管理信号生成部としてのオーバーヘッド挿入部（＃１）１４−７を付けたものである。
【００８８】
ここでは、ＳＤＨ／ＳＯＮＥＴフレームのオーバーヘッドを使用して保守管理信号を生成または検出する例を示したが、ペイロード部分を利用することも可能である（請求項２７〜３３）。また、本信号処理回路では双方向の変換回路を１つの信号処理回路に実装する例を示したが、片方向のみの実装も可能である。
（第十実施例）
【００８９】
図１５は本発明の第十の実施例を示している（請求項４１）。ここで、１５−１はＳＤＨ／ＳＯＮＥＴ信号入力部から入力されたＳＤＨフレーム信号をモニタ後モニタしたＳＤＨ信号を出力するＳＤＨ／ＳＯＮＥＴモニタ部、１５−２はＳＤＨフレーム同期を確立するＳＤＨ／ＳＯＮＥＴフレーム同期部、１５−３はＳＤＨのＳＤＨフレームのオーバーヘッド領域に挿入された保守管理パターンをモニタするオーバーヘッドモニタ＃１、１５−４はＳＤＨのオーバーヘッド領域である誤り監視用Ｂ１バイト、トレース用Ｊ０バイト、ＳＤＨ保守管理情報管理バイトであるＫ２バイトをモニタするオーバーヘッドモニタ部＃２であり、１５−５は２つのフレーム信号から一方を選択して出力する選択部、１５−６はＳＤＨフレームを生成するＳＤＨ／ＳＯＮＥＴフレーム生成部、１５−７はＳＤＨのオーバーヘッド部分にＳＤＨ標準でない保守管理信号を挿入するオーバーヘッド挿入部＃１、１５−８はＳＤＨのオーバーヘッド領域に誤り監視用Ｂ１バイト、トレース用Ｊ０バイトを挿入するオーバーヘッド挿入部＃２であり、１５−９はＳＤＨフレーム構造を持つ信号を入力し、入力されたＳＤＨ信号をモニタし、モニタしたＳＤＨ信号を変換することなく出力するＳＤＨ／ＳＯＮＥＴモニタ部、１５−１０はＳＤＨフレームのオーバーヘッド領域である誤り監視バイトＢ１バイト、トレース監視バイトであるＪ０バイト、ＳＤＨ保守管理情報管理バイトであるＫ２バイトをモニタするオーバーヘッドモニタ部＃２、１５−１１はＳＤＨフレームのオーバーヘッド領域に挿入された保守管理パターンをモニタするオーバーヘッドモニタ部＃１、１５−１２はＳＤＨフレームの同期確立を行うＳＤＨ／ＳＯＮＥＴフレーム同期部である。
【００９０】
本信号処理回路は、ＳＤＨフレーム信号をモニタして出力する信号処理回路が双方向分実装されたものであり、ＳＤＨ／ＳＯＮＥＴ信号入力部に保守管理信号検出部としてのオーバーヘッドモニタ部（＃１）１５−１１、ＳＤＨ／ＳＯＮＥＴ信号出力部に保守管理信号生成部としてのオーバーヘッド挿入部（＃１）１５−７を付けたものである。
【００９１】
ここでは、ＳＤＨフレームのオーバーヘッドを使用して保守管理信号を生成または検出する例を示したが、ペイロード部分を利用することも可能である（請求項２７〜３３）。また、本信号処理回路では双方向の変換回路を１つの信号処理回路に実装する例を示したが、片方向のみの実装も可能である。
【００９２】
図１６は本発明の信号処理回路のＳＤＨ／ＳＯＮＥＴ側入出力信号パターンの例を示している。ここでは、ＳＤＨのＳＴＭ−６４フレームのオーバーヘッドバイトの一部を用いている。図ではＳＴＭ−６４のＦ１バイトを用いており、Ｆ１バイトが“１０１０１０１０”予備系正常性確認用信号パターン、Ｆ１バイトが“１０００１０００”の場合には網内光パス故障を示すパターン、Ｆ１バイトが“１１００１１００”の場合にはクライアント信号が故障であることを示す。
【００９３】
図１７は本発明の信号処理回路のＳＤＨ／ＳＯＮＥＴ側入出力信号パターンの例を示している。ここでは、ＳＤＨのＳＴＭ−６４フレームのオーバーヘッドバイトの一部を用いている。図ではＳＴＭ−６４のペイロードを用いており、ペイロードが“１０１０１０１０”予備系ホットスタンバイ兼正常性確認用パターン、ペイロードが“１０００１０００”の場合には網内光パス故障を示すパターン、ペイロードが“１１００１１００”の場合にはクライアント信号が故障であることを示す。
【００９４】
図１６、図１７では、それぞれ、ＳＴＭ−６４のオーバーヘッド、ペイロードを用いた例を示したがオーバーヘッドとペイロードの両方を用いてパターンとすることもできる。
【００９５】
以下では、これら信号処理回路を用いた光通信網の動作を説明する。図１８〜図２１は本発明の信号処理回路を用いた光通信網における動作例を示している。
（光通信網における動作例１）
【００９６】
図１８は本発明の信号処理回路を用いた光通信網における動作例１を示している。ここで、１８１−１〜１８１−３は複数または１つの光ノードから構成されるサブ光通信網、１８２−１〜１８２−８は光信号を入出力インタフェースとし、所定入力ポートに入力された信号を所定の出力ポートへ出力することが可能な光ノード装置、１８３−１〜１８３−３はサブ通信網間を結び、入力された光信号の論理フレームをトランペアレントに転送するリンクシステム、１８４−１〜１８４−２はクライアント装置、１８５−１から１８５−３は各リンクシステムを流れる第一の保守管理信号である。この第一の保守管理信号は、ＳＤＨ信号に標準として規定されていない符号パターンである。
【００９７】
本光通信網においては異なるサブ光通信網に属する光ノード間に光パスを定義して運用を行うものとする。実際には光パスを生成して運用する前に、リンク毎の正常性の確認を行う必要がある。光パスが生成されていないので、光ノード装置からリンクシステムへ対して主信号として使用されていないことを示す試験用の光信号（ここでは、第一の保守管理信号と呼ぶ）をリンクシステムへ向かって送出し、リンクシステムから光信号を受信した光ノード装置が第一の保守管理信号であることを検出することにより、リンクシステムをシャットダウンさせることなく信号を導通させることができる。さらに、試験用の第一の保守管理信号内の情報として誤り監視情報領域を設け、常時、あるいは周期的に誤り監視情報を送出し、リンクシステムにおける誤りを監視することができるようになる。上記の手順により、光パス生成前のリンクシステムの正常性が確認できる。
【００９８】
具体的には図１６、図１７に示したフレーム信号を送出または検出することにより正常性確認を行う。次の動作例の説明で用いられる第二の保守管理信号とここで説明した第一の保守管理信号とは同一のフレーム信号を用いることができる。
（光通信網における動作例２）
【００９９】
図１９は本発明の信号処理回路を用いた光通信網における動作例２である。ここで、１９１−１〜１９１−３は複数または１つの光ノードから構成されるサブ光通信網、１９２−１〜１９２−８は光信号を入出力インタフェースとし、所定入力ポートに入力された信号を所定の出力ポートへ出力することが可能な光ノード装置、１９３−１〜１９３−３はサブ通信網間を結び、入力された光信号の論理フレームをトランスペアレントに転送するリンクシステム、１９４−１〜１９４−２はクライアント装置、１９５−１は第二の保守管理信号である。この第二の保守管理信号は、ＳＤＨ信号に標準として規定されていない符号パターンである。
【０１００】
本光通信網においては異なるサブ光通信網に属する光ノード間に光パスを定義して運用を行うものとする。ここで、実線で示した部分が現用光パスを示し、点線で示した部分がリストレーションパスである。現用パスには主信号が流れている。一方、リストレーションパスには、光ノードからリストレーションパスであることを示す試験用の光信号（ここでは、第二の保守管理信号と呼ぶ）をリンクへ向かって送出し、リンクシステムから光信号を受信した光ノード装置が第二の保守管理信号であることを検出することにより、リンクシステムをシャットダウンさせることなく信号を導通させることができる。さらに、試験用の第二の保守管理信号内の情報として誤り監視情報領域を設け、常時あるいは周期的に誤り監視情報を送出し、リンクシステムにおける誤りを監視することができるようになる。さらに、第二の保守管理情報信号にパストレースの領域を設けて、パストレース情報を送出または検出することにより、パスのルートが正しいことが確認できる。上記の手順により、リストレーションパスの正常性が確認できる。
【０１０１】
具体的には図１６、図１７に示したフレーム信号を送出または検出することにより正常性確認を行う。第一の保守管理信号と第二の保守管理信号とは同一のフレーム信号を用いることができる。
（光通信網における動作例３）
【０１０２】
図２０は本発明の信号処理回路を用いた光通信網における動作例３である。ここで、２０１−１〜２０１−３は複数または１つの光ノードから構成されるサブ光通信網、２０２−１〜２０２−８は光信号を入出力インタフェースとし、所定入力ポートに入力された信号を所定の出力ポートへ出力することが可能な光ノード装置、２０３−１〜２０３−３はサブ通信網間を結び、入力された光信号の論理フレームをトランスペアレントに転送するリンクシステム、２０４−１〜２０４−２はクライアント装置、２０５−１〜２０５−２は第三の保守管理信号である。この第三の保守管理信号は、ＳＤＨ信号に標準として規定されていない符号パターンである。
【０１０３】
本光通信網においては異なるサブ光通信網に属する光ノード間に光パスを定義して運用を行うものとする。ここで、実線で示した部分が現用光パスを示し、点線で示した部分がリストレーションパスである。
【０１０４】
クライアント信号が故障した場合には、光ノードから現用光パスルート上のリンクシステムへクライアント信号が故障であることを示す試験用の光信号（ここでは、第三の保守管理信号と呼ぶ）を送出し、リンクシステムから光信号を受信した光ノード装置が第三の保守管理信号であることを検出することにより、リンクシステムをシャットダウンさせることなく信号を導通させることができる。また、クライアント信号異常を検出した光パス終端における光ノードでは光パスの異常ではないためリストレーションパスへの切り替え動作を抑止することができる。
【０１０５】
具体的には図１６、図１７に示したフレーム信号の送出または検出をすることによりクライアント故障を検出しリストレーション切り替えは行わない。
（光通信網における動作例４）
【０１０６】
図２１は本発明の信号処理回路を用いた光通信網における動作例４である。ここで、２１１−１〜２１１−３は複数または１つの光ノードから構成されるサブ光通信網、２１２−１〜２１２−８は光信号を入出力インタフェースとし、所定入力ポートに入力された信号を所定の出力ポートへ出力することが可能な光ノード装置、２１３−１〜２１３−３はサブ通信網間を結び、入力された光信号の論理フレームをトランスペアレントに転送するリンクシステム、２１４−１〜２１４−２はクライアント装置、２１５−１〜２１５−２は第四の保守管理信号である。この第四の保守管理信号は、ＳＤＨ信号に標準として規定されていない符号パターンである。
【０１０７】
本光通信網においては異なるサブ光通信網に属する光ノード間に光パスを定義して運用を行うものとする。ここで、実線で示した部分が現用光パスを示し、点線で示した部分がリストレーションパスである。
【０１０８】
サブ光通信網＃１にて光パス故障が発生した場合には、光ノードから現用光パスルート上のリンクシステムへ光パスが故障であることを示す試験用の光信号（ここでは、第四の保守管理信号と呼ぶ）を送出し、リンクシステムから光信号を受信した光ノード装置が第四の保守管理信号であることを検出することにより、リンクシステムをシャットダウンさせることなく信号を導通させることができる。また、光パス故障を検出した光パス終端における光ノードでは直ちにリストレーションパスへの切り替え動作に入ることができ、主信号をリストレーションパスルートへ切り替えることができる。以上説明したように、光パス故障信号をリンクシステムへ送出または検出することによりリンクシステムをシャットダウンさせ不要警報を発出させることなく、リストレーション切り替えを実行することができる。
【０１０９】
具体的には、図１６、図１７に示したフレーム信号を送出または検出することによりリストレーション切り替えを行う。
（光通信網における動作例５）
【０１１０】
図２２は本発明の信号処理回路を用いた光通信網における動作例５である。ここで、２２１−１〜２２１−３は複数または１つの光ノードから構成されるサブ光通信網、２２２−１〜２２２−８は光信号を入出力インタフェースとし、所定入力ポートに入力された信号を所定の出力ポートへ出力することが可能な光ノード装置、２２３−１〜２２３−３はサブ通信網間を結び、入力された光信号の論理フレームをトランスペアレントに転送するリンクシステム、２２４−１〜２２４−２はクライアント装置、２２５−１は第四の保守管理信号である。
【０１１１】
本光通信網においては異なるサブ光通信網に属する光ノード間に光パスを定義して運用するものとする。ここで、実線で示した部分が現用光パスを示し、点線で示した部分がリストレーションパスである。
【０１１２】
ここでは、リンクシステムにて光パス故障が発生した場合の例を示してあり、図２１の例と同様に、光パス故障信号をリンクシステムへ送出または検出することによりリンクシステムをシャットダウンさせ不要警報を発出させることなく、リストレーション切り替えを実行し、主信号をリストレーションパスへ切り替えることができる。
【産業上の利用可能性】
【０１１３】
本発明により、本発明の信号処理回路を用いて予備系ホットスタンバイ状態を実現し、不要警報を抑止し、高速リストレーションが実現可能な光通信網が実現できる。
【図面の簡単な説明】
【０１１４】
【図１】従来の信号処理回路。
【図２】ＳＤＨ  ＳＴＭ−６４フレームを示す図。
【図３】従来の信号処理回路を用いた光通信網を示す図。
【図４】ＷＤＭリンクシステムの詳細を説明するための図。
【図５】ファイバ障害時の動作について説明するための図。
【図６】第一実施例を説明するための図。
【図７】第二実施例を説明するための図。
【図８】第三実施例を説明するための図。
【図９】第四実施例を説明するための図。
【図１０】第五実施例を説明するための図。
【図１１】第六実施例を説明するための図。
【図１２】第七実施例を説明するための図。
【図１３】第八実施例を説明するための図。
【図１４】第九実施例を説明するための図。
【図１５】第十実施例を説明するための図。
【図１６】本発明の信号処理回路のＳＤＨ側入出力パターン例を示す図。
【図１７】本発明の信号処理回路のＳＤＨ側入出力パターン例を示す図。
【図１８】本発明の信号処理回路を用いた光通信網動作例１を説明するための図。
【図１９】本発明の信号処理回路を用いた光通信網動作例２を説明するための図。
【図２０】本発明の信号処理回路を用いた光通信網動作例３を説明するための図。
【図２１】本発明の信号処理回路を用いた光通信網動作例４を説明するための図。
【図２２】本発明の信号処理回路を用いた光通信網動作例５を説明するための図。
【符号の説明】
【０１１５】
６−２、８−２、１２−７、１３−７、１４−７、１５−７  オーバーヘッド挿入部＃１
６−３、８−３、１４−８、１５−８  オーバーヘッド挿入部＃２
６−４、９−１、１２−４、１２−８、１２−１０、１３−４、１３−８、１３−１０、１４−４、１４−１０、１５−４、１５−１０  オーバーヘッドモニタ部＃２
６−５、９−２、１２−３、１２−１１、１３−３、１３−１１、１４−３、１４−１１、１５−３、１５−１１  オーバーヘッドモニタ部＃１
７−３、１０−３  オーバーヘッド挿入部
７−４、１１−１  オーバーヘッドモニタ部
７−５、１１−２  ペイロードモニタ部
６−６、７−６、９−３、１１−３、１２−２、１２−１２、１３−２、１３−１２、１４−２、１４−１２、１５−２、１５−１２  ＳＤＨ／ＳＯＮＥＴフレーム同期部
６−１、７−１、８−１、１０−１、１２−６、１３−６、１４−６、１５−６  ＳＤＨ／ＳＯＮＥＴフレーム生成部
７−２、１０−２  ペイロード挿入部
１２−１  ＯＴＮ信号ＳＤＨ／ＳＯＮＥＴ信号変換部
１２−５、１３−５、１４−５、１５−５  選択部
１２−９  ＳＤＨ／ＳＯＮＥＴ信号ＯＴＮ信号変換部
１３−１  ＦＥＣ信号ＳＤＨ／ＳＯＮＥＴ信号変換部
１３−９  ＳＤＨ／ＳＯＮＥＴ信号ＦＥＣ信号変換部
１４−１、１４−９  ＳＤＨ／ＳＯＮＥＴ−ＳＤＨ／ＳＯＮＥＴ変換部
１５−１、１５−９  ＳＤＨ／ＳＯＮＥＴモニタ部
１８１−１〜１８１−３、１９１−１〜１９１−３、２０１−１〜２０１−３、２１１−１〜２１１−３、２２１−１〜２２１−３  サブ光通信網
１８２−１〜１８２−８、１９２−１〜１９２−８、２０２−１〜２０２−８、２１２−１〜２１２−８、２２２−１〜２２２−８  光ノード装置
１８３−１〜１８３−３、１９３−１〜１９３−３、２０３−１〜２０３−３、２１３−１〜２１３−３、２２３−１〜２２３−３  リンクシステム
１８４−１〜１８４−２、１９４−１〜１９４−２、２０４−１〜２０４−２、２１４−１〜２１４−２、２２４−１〜２２４−２  クライアント装置
１８５−１〜１８５−３  第一の保守管理信号
１９５−１  第二の保守管理信号
２０５−１〜２０５−２  第三の保守管理信号
２１５−１〜２１５−２  第四の保守管理信号
２２５−１  第四の保守管理信号
【図１】
2005057668.tif 000003
【図２】
2005057668.tif 000004
【図３】
2005057668.tif 000005
【図４】
2005057668.tif 000006
【図５】
2005057668.tif 000007
【図６】
2005057668.tif 000008
【図７】
2005057668.tif 000009
【図８】
2005057668.tif 000010
【図９】
2005057668.tif 000011
【図１０】
2005057668.tif 000012
【図１１】
2005057668.tif 000013
【図１２】
2005057668.tif 000014
【図１３】
2005057668.tif 000015
【図１４】
2005057668.tif 000016
【図１５】
2005057668.tif 000017
【図１６】
2005057668.tif 000018
【図１７】
2005057668.tif 000019
【図１８】
2005057668.tif 000020
【図１９】
2005057668.tif 000021
【図２０】
2005057668.tif 000022
【図２１】
2005057668.tif 000023
【図２２】
2005057668.tif 000024